(57)【要約】【課題】汎用性の低下をもたらすことなく複数の携帯器からの認証用ＩＤを正確に取得できる携帯器の認証用ＩＤ受信システムの提供を目的とする。【解決手段】電気錠装置１に施解錠権限を認証するための認証用ＩＤを出力する携帯器２と、  一群の携帯器２との間で交信可能な応答要求信号を送信するパッシブ送受信装置３とを有し、  前記携帯器２は、前記パッシブ送受信装置３からの応答要求信号の受信に対して応答信号を送信する応答可状態と、応答要求信号に対して応答信号を返さない応答否状態との間を遷移可能であり、  かつ、前記パッシブ送受信装置３は、所定間隔で応答要求信号を出力した後、携帯器２からの受信強度の最強な応答信号のみを受信して応答信号内の認証用ＩＤを取得するとともに、該応答信号受信携帯器２に応答否状態への遷移信号を出力して所定時間、該携帯器２からの応答信号出力を停止させる。【選択図】  図１
2015135033.tif 000002
【特許請求の範囲】
【請求項１】
電気錠装置に施解錠権限を認証するための認証用ＩＤを出力する携帯器と、
一群の携帯器との間で交信可能な応答要求信号を送信するパッシブ送受信装置とを有し、
前記携帯器は、前記パッシブ送受信装置からの応答要求信号の受信に対して応答信号を送信する応答可状態と、応答要求信号に対して応答信号を返さない応答否状態との間を遷移可能であり、
かつ、前記パッシブ送受信装置は、所定間隔で応答要求信号を出力した後、携帯器からの受信強度の最強な応答信号のみを受信して応答信号内の認証用ＩＤを取得するとともに、該応答信号受信携帯器に応答否状態への遷移信号を出力して所定時間、該携帯器からの応答信号出力を停止させる携帯器の認証用ＩＤ受信システム。
【請求項２】
前記パッシブ送受信装置は、
携帯器からの認証用ＩＤにより応答信号受信携帯器を特定し、該応答信号受信携帯器に応答否状態への遷移信号を送信する請求項１記載の携帯器の認証用ＩＤ受信システム。
【請求項３】
電気錠装置に施解錠権限を認証するための認証用ＩＤを出力する携帯器であって、
パッシブ送受信装置から出力される応答要求信号に応答して認証用ＩＤを含む応答信号を出力するリクエスト応答部と、
パッシブ送受信装置から出力される応答否状態への遷移信号を受信した際に前記リクエスト応答部からの応答信号の送信を所定時間停止する応答停止制御部とを有する携帯器。
【請求項４】
一群の携帯器で受信可能な応答要求信号を所定間隔で出力するリクエスト信号送信部と、
応答要求信号出力後所定時間内に受信した複数の認証用ＩＤを含む応答信号から最大強度信号のみを入力信号として取得するとともに、入力信号を発信した携帯器に向けて応答否状態への遷移信号を出力して該携帯器からの応答要求信号に対する応答を停止させる停止信号出力部とを有するパッシブ送受信装置。
【請求項５】
請求項１または２記載の携帯器の認証用ＩＤ受信システムと、
パッシブ送受信装置において取得した各携帯器の認証用ＩＤを認証する認証部と、
認証用ＩＤに対応させて制御対象を制御する制御信号を出力し、該制御対象を自動制御する制御信号出力部９を有する機器制御システム。
【請求項６】
前記制御信号出力部は、携帯器所有者の認証用ＩＤと居住階とを対応させて記憶した制御信号格納部から居住階を抽出した後、エレベータの停止階制御部に出力し、
エレベータを携帯器所有者の居住階に自動停止させる請求項５記載の機器制御システム。
【発明の詳細な説明】
【技術分野】
【０００１】
本発明は、携帯器の認証用ＩＤ受信システムに関するものである。
【背景技術】
【０００２】
解錠キーを使用することなく電気錠装置の解錠が可能な、いわゆるキーレスエントリーシステムは、利用者の所持する携帯器から出力される認証用ＩＤの認証部での認証を条件にアクチュエータを解錠駆動するように構成され、携帯器から認証部への認証用ＩＤの出力にパッシブ送信を使用するものがある。
【０００３】
パッシブ送信は、利用者が携帯器を直接操作して該携帯器から認証部、あるいは認証部につながる認証用ＩＤ受信部に認証用ＩＤを出力するアクティブ送信とは異なり、認証部、あるいは認証部につながるパッシブ送受信部から出力される応答要求信号に応答して自動的に認証用ＩＤをパッシブ送受信部に出力する。
【０００４】
かかるパッシブ送信は、同一のパッシブ送受信部の周りに複数の携帯器がある環境で使用する場合には、単一の応答要求信号に対して同時に出力される複数の携帯器からの認証用ＩＤ間の衝突等に対する回避策が必要となり、かかる回避策を備えた受信システムとしては、特許文献１に記載のものが知られている。
【０００５】
この従来例において、携帯器は基地局（パッシブ送受信装置）からの応答要求信号を受信すると、携帯器ごとに異なったタイミグで認証用ＩＤを出力してパッシブ送受信装置で受信され、パッシブ送受信装置での同時受信を回避する。
【先行技術文献】
【特許文献】
【０００６】
【特許文献１】特開２００７-３２９７４４号公報
【発明の概要】
【発明が解決しようとする課題】
【０００７】
しかし、上述した従来例は、各携帯器に応答遅延時間を固有値として設定する必要があるために、予めパッシブ送受信装置と、これに対応する携帯器を決定しておく必要が有り、汎用性に欠けるという問題がある。
【０００８】
本発明は、以上の欠点を解消すべくなされたものであって、汎用性の低下をもたらすことなく複数の携帯器からの認証用ＩＤを正確に取得できる携帯器の認証用ＩＤ受信システムの提供を目的とする。
【０００９】
また、本発明の他の目的は、上記認証用ID受信システムに使用可能な携帯器、およびパッシブ送受信装置、さらには、認証用ID受信システムを使用した機器制御システムの提供にある。
【課題を解決するための手段】
【００１０】
本発明によれば上記目的は、
電気錠装置１に施解錠権限を認証するための認証用ＩＤを出力する携帯器２と、
一群の携帯器２との間で交信可能な応答要求信号を送信するパッシブ送受信装置３とを有し、
前記携帯器２は、前記パッシブ送受信装置３からの応答要求信号の受信に対して応答信号を送信する応答可状態と、応答要求信号に対して応答信号を返さない応答否状態との間を遷移可能であり、
かつ、前記パッシブ送受信装置３は、所定間隔で応答要求信号を出力した後、携帯器２からの受信強度の最強な応答信号のみを受信して応答信号内の認証用ＩＤを取得するとともに、該応答信号受信携帯器２に応答否状態への遷移信号を出力して所定時間、該携帯器２からの応答信号出力を停止させる携帯器の認証用ＩＤ受信システムを提供することにより達成される。
【００１１】
本発明において、電気錠に対する操作権限を認証するための認証用ＩＤを出力する携帯器２には、パッシブ送受信装置３から出力される応答要求信号を受信した際に認証用ＩＤを含む応答信号を出力するリクエスト応答部４と、リクエスト応答部４からの応答信号の出力を制御する応答停止制御部５が設けられる。パッシブ送受信装置３から出力される応答要求信号は、製造メーカー、販売地域等、比較的広範囲な携帯器２を交信対象とするブロード信号で、パッシブ送受信装置３からの応答要求信号を受信した携帯器２は、同時に各々が各携帯器２に予め設定された認証用ＩＤを含む応答信号を送信する。
【００１２】
パッシブ送受信装置３は、各々の携帯器２から発信される応答信号のうち、受信強度が最大のもののみを受信し、この後、受信対象となった携帯器２に対して応答否状態への遷移信号を出力する。当該応答否状態への遷移信号を受信した携帯器２は、所定時間応答要求信号に対する応答信号の出力を停止するために、パッシブ送受信装置３からの次サイクル以降の応答要求信号に対して応答することがなく、該パッシブ送受信装置３は、残余の携帯器２のうち、受信強度が最大のものを順次受信することができる。
【００１３】
したがって本発明において、パッシブ送受信装置３との交信可能範囲に存在するすべての携帯器２の認証用ＩＤを混信することなく確実に取得することが可能になる。また、携帯器２にはパッシブ送受信装置３が発する応答要求信号を受信した際の応答遅延情報等を設定しておく必要がなく、応答要求信号に対する応答部を共通に設定しておくだけで広範囲なパッシブ送受信装置３による携帯器２のＩＤ取得が可能になる。
【００１４】
パッシブ送受信装置３からの遷移信号の携帯器２への送信は、各携帯器２に予め設定された携帯器２固有のＩＤ情報を遷移信号に含めることにより実現可能であり、遷移信号を受信した各携帯器２は遷移信号中のＩＤ情報が自局を指定する場合に応答要求信号に対する応答信号の出力を停止する。
【００１５】
携帯器２のＩＤ情報は別途設定することも可能であるが、認証用ＩＤを利用することも可能であり、この場合、ＩＤ信号受信システムを、
前記パッシブ送受信装置３は、
携帯器２からの認証用ＩＤにより応答信号受信携帯器２を特定し、該応答信号受信携帯器２に応答否状態への遷移信号を送信するように構成することができる。
【００１６】
また、以上のシステムには、
電気錠装置１に施解錠権限を認証するための認証用ＩＤを出力する携帯器２であって、
パッシブ送受信装置３から出力される応答要求信号に応答して認証用ＩＤを含む応答信号を出力するリクエスト応答部４と、
パッシブ送受信装置３から出力される応答否状態への遷移信号を受信した際に前記リクエスト応答部４からの応答信号の送信を所定時間停止する応答停止制御部５とを有する携帯器２を使用することが可能であり、
パッシブ送受信装置３は、
一群の携帯器２で受信可能な応答要求信号を所定間隔で出力するリクエスト信号送信部６と、
応答要求信号出力後所定時間内に受信した複数の認証用ＩＤを含む応答信号から最大強度信号のみを入力信号として取得するとともに、入力信号を発信した携帯器２に向けて応答否状態への遷移信号を出力して該携帯器２からの応答要求信号に対する応答を停止させる停止信号出力部７とを有して構成することができる。
【００１７】
さらに、上記認証用ＩＤ受信システムを使用した機器制御システムは、
携帯器の認証用ＩＤ受信システムと、
パッシブ送受信装置３において取得した各携帯器２の認証用ＩＤを認証する認証部８と、
認証用ＩＤに対応させて制御対象を制御する制御信号を出力し、該制御対象を自動制御する制御信号出力部９とを有して構成することができる。
【００１８】
機器制御システムは、エレベータ（Ｅ）への停止階制御システムに利用することができ、
前記制御信号出力部９は、携帯器２所有者の認証用ＩＤと居住階とを対応させて記憶した制御信号格納部１０から居住階を抽出した後、エレベータ（Ｅ）の停止階制御部１１に出力し、
エレベータ（Ｅ）を携帯器２所有者の居住階に自動停止させるように構成することができる。
【発明の効果】
【００１９】
本発明によれば、汎用性の低下をもたらすことなく複数の携帯器２から認証用ＩＤを正確に取得することができる。
【図面の簡単な説明】
【００２０】
【図１】本発明の機器制御システムを示すブロック図である。
【図２】図１の詳細を示すブロック図である。
【図３】機器制御システムのタイミグチャートである。
【図４】パッシブ送受信装置のフローチャートである。
【図５】携帯器のフローチャートである。
【発明を実施するための形態】
【００２１】
図１、２に集合住宅におけるエレベータ（Ｅ）への停止階制御システムとして構成された本発明の機器制御システム（Ｓｃ）を示す。本システムは、エレベータ（Ｅ）への搭乗者が所持する携帯器２の認証用ＩＤを順次読み取って携帯器２所持者の居住フロアにエレベータ（Ｅ）を自動停止させるように構成され、携帯器２から認証用ＩＤを受信する認証用ＩＤ受信システム（Ｓｒ）と、認証用ＩＤ受信システム（Ｓｒ）により取得した認証用ＩＤを認証する認証部８と、エレベータ（Ｅ）への制御信号出力部９とを有する。
【００２２】
制御信号出力部９は、利用者が乗り込むカゴ等に配置される停止階操作パネル１３への操作によりカゴ１２を所望の停止階に停止させる停止階制御部１１に停止階情報を出力するように構成され、図２に示すように、制御部９ａにより制御される停止階情報生成部９ｂと、制御信号格納部１０とを有する。制御信号格納部１０には、制御信号出力部９が設置されるエレベータ（Ｅ）の到達階と、到達階の居住者が所持する各戸の扉の電気錠装置１を施解錠操作するための携帯器２の認証用ＩＤとが関連付けられて格納されており、停止階情報生成部９ｂは、上記認証部８からの認証成立信号を受信すると、制御信号格納部１０から携帯器２所持者の対応する居住階を検索した後、停止階制御部１１に停止階情報として出力し、カゴ１２を居住階に停止させる。
【００２３】
上記認証用ＩＤ受信システム（Ｓｒ）は、上述した携帯器２と、パッシブ送受信装置３とを有する。
【００２４】
本例において携帯器２は、各戸の扉に設置された電気錠装置１を施解錠するために使用されるもので、制御部２ａにより制御され、電気錠装置１に対する操作権限を認証するための認証用ＩＤを格納するＩＤ格納部２ｂと、認証用ＩＤの電気錠装置１への送信操作を行うための施解錠操作ボタン２ｃとを有する。
【００２５】
電気錠装置１は、電気錠装置１は適宜のアクチュエータを制御することにより扉に対する施解錠状態間を遷移可能であり、携帯器２から送信された認証用ＩＤが制御部１ａにより制御される認証部１ｂにおいて認証されると、上記アクチュエータを駆動して施解錠状態間の遷移駆動が行われる。
【００２６】
また、携帯器２による電気錠装置１に対する施解錠操作は、上述したように施解錠操作ボタン２ｃへの操作によるいわゆるアクティブモードに加え、利用者による携帯器２への操作を要しないパッシブモードによることができる。パッシブモードによる運用を可能にするために、電気錠装置１には携帯器２に向けて応答要求信号を出力するリクエスト信号送信部１ｃが設けられるとともに、携帯器２には認証用ＩＤを含む応答信号を出力するリクエスト応答部４が設けられる。リクエスト信号送信部１ｃは常時応答要求信号を出力するように構成することが可能であるが、ヒト検出センサによる検出、あるいは利用者によるリクエストボタン押下等の適宜の操作を出力のトリガとして省電力を図ることもできる。
【００２７】
したがって本例において、電気錠装置１から応答要求信号が出力されている状態で応答要求信号との交信可能範囲内に携帯器２が持ち込まれると、携帯器２はリクエスト応答部４を介して応答要求信号に応答する形で応答信号を出力する。携帯器２からの応答信号を受信した電気錠装置１は、応答信号に含まれる認証用ＩＤを抽出した後、認証部１ｂにおいて認証動作を行い、認証が成立すると所定の施解錠操作が行われる。
【００２８】
また、本例において、リクエスト応答部４は、認証用ＩＤを介して対応関係が予め決定され、認証不能な電気錠装置１からの応答要求信号に対してのみ応答信号を出力する狭域の応答部としてではなく、製造元、機種あるいは販売地域等が一致するすべての電気錠装置１が発する応答要求信号に対して応答信号を出力するブロードなリクエスト応答部４として構成され、電気錠装置１のリクエスト信号送信部６も、予めペアリングされた携帯器２以外にも応答可能な応答要求信号を出力するブロードな信号送信部として構成される。
【００２９】
以上のように、パッシブ動作にあたって電気錠装置１と携帯器２とがブロード信号を使用して交信すると、電気錠装置１からの応答要求信号に対して応答する携帯器２の数が増加し、信号の衝突等の機会が多くなるために、電気錠装置１は、受信した応答信号のうち、信号強度が最強のもののみをゲート部１ｄにより選択して取り込むことによって上記問題を回避する。
【００３０】
一方、パッシブ送受信装置３は、上述した電気錠装置１に配置されるリクエスト信号送信部１ｃと同様の応答要求信号を出力するリクエスト信号送信部６と、ゲート部３ｂとを有してエレベータ（Ｅ）のカゴ１２に設置される。
【００３１】
上記リクエスト信号送信部６は、エレベータ（Ｅ）運用にあわせて常時起動させておくことも、あるいはカゴに利用者が乗ったことを適宜のセンサにより検出すると起動するように構成することが可能であり、起動後には、所定の時間間隔（ｔ_req）で応答要求信号を出力する。
【００３２】
応答要求信号に応答した各携帯器２からの応答信号はゲート部３ｂを経由して信号強度が最大のもののみが取り込まれた後、応答要求信号に含まれる認証用ＩＤがＩＤ取得部３ｃに格納され、認証部８に通知される。
【００３３】
また、パッシブ送受信装置３には停止信号出力部７が設けられるとともに、携帯器２には応答停止制御部５が設けられる。停止信号出力部７は、ＩＤ取得部３ｃに認証用ＩＤが格納されると取得された認証用ＩＤを含む応答否状態への遷移信号（停止信号）を生成し、携帯器２に出力する。停止信号出力部７からの出力信号はリクエスト信号送信部６からの出力信号と同様に各携帯器２と交信可能なブロード出力であり、当該停止信号を受信した各携帯器２は停止信号内の認証用ＩＤが自局の認証用ＩＤに一致するか否かを確認し、一致が確認されると応答停止制御部５に停止信号受領を通知する。停止信号を受領した応答停止制御部５は、所定時間リクエスト応答部４からの応答信号の出力を停止する。
【００３４】
図３に機器制御システム（Ｓｃ）の動作シーケンスを示す。パッシブ送受信装置３は、起動された状態において所定タイミング（ｔ_req）で応答要求信号を送信する。上述したように、応答要求信号は、各住戸、マンション棟、マンション設置地域等が相違していても相互に交信可能なブロード信号として出力される。
【００３５】
交信範囲内の携帯器２は応答要求信号を受信すると、各々応答要求信号に応答して応答信号を送信し、パッシブ送受信装置３において受信される。パッシブ送受信装置３における応答信号の受信強度は、空間での減衰等の影響により概ねパッシブ送受信装置３の受信アンテナ（図示せず）に近い順に大きくなり、ゲート部３ｂを介することにより受信強度が最大のものが選択されて取り込まれ、ＩＤ取得部３ｃにおいて認証用ＩＤが抽出される。
【００３６】
図３は、最初の応答要求信号（Ｓreq_1）に対する応答信号（Ｓres_1）は認証用ＩＤが２の携帯器２Ｂからのものが最大であることを太線で囲って示しており、認証用ＩＤを取得したパッシブ送受信装置３は停止信号出力部７において停止信号を生成し、各携帯器２に送信する。停止信号には携帯器２Ｂの認証用ＩＤ（２）が含まれており、該停止信号を受信した携帯器２は、停止信号内に含まれる認証用ＩＤが自局のものであるか否かを判定し、自局を名宛にしている場合には、当該携帯器（この場合携帯器２Ｂ）の応答停止制御部５は停止フラグを”ＯＦＦ”から”ＯＮ”にセットし、”ＯＮ”状態を予め設定された所定時間（ｔ_stp）保持する。
【００３７】
携帯器２は、停止フラグが”ＯＦＦ”の場合にのみ応答信号を送信するように構成されており、結果、携帯器２Ｂは停止フラグが”ＯＮ”に反転するまでパッシブ送受信装置３からの応用要求信号に対応した応答信号の出力が停止される。
【００３８】
また、携帯器２からの応答信号（Ｓres_1）から認証用ＩＤを取得したパッシブ送受信装置３は、認証部８に認証用ＩＤを出力し、認証部８において認証用ＩＤが認証されると、制御信号出力部９に認証用ＩＤを出力する。認証済みの認証用ＩＤを受領した制御信号出力部９は制御信号格納部１０から認証用ＩＤを検索し、発見時には停止階情報を含む制御信号をエレベータ（Ｅ）の停止階制御部１１に出力し、搭乗者が停止階操作パネルへの操作を行わなくとも停止階に加えられる。
【００３９】
さらに、第２の応答要求信号（Ｓreq_2）に対する応答信号（Ｓres_2）のように、取得した認証用ＩＤが認証部８で認証されなかった場合、集合住宅の住人でないか、あるいは当該エレベータ（Ｅ）の行き先階に住戸を有しない住人であると考えられるために、停止階情報が出力されることはない。
【００４０】
この後、同様の手順で適数回の応答要求信号（Ｓreq_r）を出力すると、受信強度の高い順に携帯器２からの応答信号の出力が規制されるために、それ以前の応答要求信号（Ｓreq_(r-k)）に対して受信レベルが最大でなかった応答信号（Ｓres_(r-k)）が最大受信レベルとなって認証用ＩＤが取得され、結果、すべての携帯器２の認証用ＩＤが取得される。
【００４１】
停止フラグの”ＯＮ”状態の保持時間（ｔ_stp）は、予め携帯器２に設定しておくことも、あるいは、応答要求信号の送信タイミング（ｔ_req）、エレベータ（Ｅ）の定員制限等を考慮した値を停止信号に含めて制御信号出力部９から送信することも可能である。
【００４２】
図４にパッシブ送受信装置３の動作フローを示す。起動状態において、パッシブ送受信装置３は（ｔ_req）の時間間隔をおいて応答要求信号を出力しており、制御の開始とともに、まず、応答要求信号送信のタイミングを計測するタイマーがタイムアップしていないか否かを検出し（ステップＰ１）、タイムアップの場合には、リクエスト信号送信部６から応答要求信号を送信し（ステップＰ２）、携帯器２からの応答信号を待ち受ける。
【００４３】
この後、携帯器２からの応答信号を受信すると（ステップＰ３）、ＩＤ取得部３ｃは応答信号から認証用ＩＤを抽出し（ステップＰ４）、停止信号出力部７に認証用ＩＤを出力する（ステップＰ５）。認証用ＩＤを受領した停止信号出力部７は、認証用ＩＤを含む停止信号を生成して送信した後（ステップＰ６）、応答要求新信号送信のタイミングを計測するタイマーをスタートさせる（ステップＰ７）。
【００４４】
一方、携帯器２は、図５に示すように、制御開始とともに、まず、停止フラグのセット時間を計測するタイマーがタイムアップしていないか否かを検出し（ステップＭ１）、タイムアップしている場合は停止フラグをリセットし（ステップＭ２）、タイムアップしていない場合には、停止フラグの反転をすることなく信号の受信を待機する（ステップＭ３）。
【００４５】
ステップＭ３において受信した信号がパッシブ送受信装置３からのものである場合（ステップＭ４）、停止フラグがセット状態か否かを判定し（ステップＭ５）、リセット状態のときには応答信号を送信した後（ステップＭ６）、制御ルーチンの開始点に復帰し、ステップＭ５においてセット状態のときには応答信号を送信することなく制御ルーチンの開始点に復帰する。
【００４６】
一方、ステップＭ４において受信信号が応答要求信号でなかった場合には、受信信号が応答停止信号か否かを判定し（ステップＭ７）、応答停止信号であった場合、自局宛であるか否かの判定のために応答停止信号中に含まれる認証用ＩＤが自局のものと一致するか否かを判定し（ステップＭ８）、一致が確認されるとタイマーをスタートさせた後（ステップＭ９）、停止フラグをセットし（ステップＭ１０）、制御ポイントをルーチンの開始点に移動させる。
【符号の説明】
【００４７】
１        電気錠装置
２        携帯器
３        パッシブ送受信装置
４        リクエスト応答部
５        応答停止制御部
６        リクエスト信号送信部
７        停止信号出力部
８        認証部
９        制御信号出力部
１０      制御信号格納部
１１      停止階制御部
Ｅ        エレベータ
Ｓｃ      機器制御システム
Ｓｒ      認証用ＩＤ受信システム
【図１】
2015135033.tif 000003
【図２】
2015135033.tif 000004
【図３】
2015135033.tif 000005
【図４】
2015135033.tif 000006
【図５】
2015135033.tif 000007